【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
第１の通信方式及び前記第１の通信方式より高速で通信可能な第２の通信方式によって通信可能な通信装置と通信可能な情報処理装置のコンピュータに、
ユーザ操作に基づいて、所定の指示を受け付ける受け付けステップと、
前記通信装置の外部且つ前記情報処理装置の外部の装置である外部装置と前記通信装置が前記第２の通信方式によって接続していない状態で前記所定の指示が受け付けられた場合、前記外部装置に関する情報を前記第１の通信方式で前記通信装置に送信する送信処理を実行するための所定の制御を、前記所定の指示が受け付けられたことに基づいて実行し、前記情報処理装置が前記第２の通信方式によって接続している前記外部装置と前記通信装置が前記第２の通信方式によって接続している状態で前記所定の指示が受け付けられた場合、前記所定の制御を前記所定の指示が受け付けられたことに基づいて実行しない処理ステップと、
前記情報処理装置が前記第２の通信方式によって接続している前記外部装置に前記通信装置が前記第２の通信方式によって接続している場合、前記情報処理装置が前記第２の通信方式によって接続している前記外部装置を介して前記通信装置と通信する通信ステップと、を実行させ、
前記送信処理が実行された場合、前記外部装置に関する情報に基づいて、前記外部装置と前記通信装置が前記第２の通信方式によって接続することを特徴とするプログラム。
【請求項２】
前記通信装置が接続可能な前記外部装置の一覧を取得する取得ステップをさらに有し、
前記通信装置が接続可能な前記外部装置の一覧に含まれる前記外部装置に関する情報が、前記送信処理において送信されることを特徴とする請求項１に記載のプログラム。
【請求項３】
前記情報処理装置が接続している前記外部装置に関する情報が、前記送信処理において送信されることを特徴とする請求項１に記載のプログラム。
【請求項４】
前記第１の通信方式は、Ｂｌｕｅｔｏｏｔｈ（登録商標）  Ｌｏｗ  Ｅｎｅｒｇｙ  であり、
前記第２の通信方式は、Ｗｉ−Ｆｉであることを特徴とする請求項１乃至３のいずれか１項に記載のプログラム。
【請求項５】
前記情報処理装置と前記通信装置が、前記外部装置を介さず直接接続している状態で前記所定の指示が受け付けられた場合、前記所定の制御が前記所定の指示が受け付けられたことに基づいて実行されないことを特徴とする請求項１乃至請求項４のいずれか１項に記載のプログラム。
【請求項６】
前記通信装置から、前記通信装置に関する情報を前記所定の指示が受け付けられたことに基づいて取得する状態取得ステップと、
前記通信装置に関する情報に基づいて、前記通信装置が前記外部装置と接続しているか否かを判定する判定ステップと、をさらに実行させ、
前記通信装置が前記外部装置と接続していないと判定された場合、前記所定の制御が実行され、前記通信装置が前記外部装置と接続していると判定された場合、前記所定の制御が実行されないことを特徴とする請求項１乃至請求項５のいずれか１項に記載のプログラム。
【請求項７】
前記通信装置に関する情報は、前記第１通信方式によって取得されることを特徴とする請求項６に記載のプログラム。
【請求項８】
前記外部装置に関する情報は、ＳＳＩＤ、前記外部装置と接続するためのパスワードのうち少なくとも１つを含むことを特徴とする請求項１乃至請求項７のいずれか１項に記載のプログラム。
【請求項９】
前記外部装置と接続するためのパスワードの入力を受け付けるパスワード受け付けステップをさらに実行させ、
前記外部装置に関する情報は、前記入力されたパスワードを含むことを特徴とする請求項１乃至請求項８のいずれか１項に記載のプログラム。
【請求項１０】
前記第１の通信方式は、Ｂｌｕｅｔｏｏｔｈ（登録商標）であることを特徴とする請求項１乃至請求項９のいずれか１項に記載のプログラム。
【請求項１１】
前記外部装置は、外部アクセスポイントであることを特徴とする請求項１乃至請求項１０のいずれか１項に記載のプログラム。
【請求項１２】
前記所定の制御は、前記送信処理に関する画面を表示部に表示する処理を含むことを特徴とする請求項１乃至請求項１１のいずれか１項に記載のプログラム。
【請求項１３】
前記送信処理に関する画面は、前記送信処理によって前記通信装置が接続する前記外部装置の選択を受け付けるための画面であることを特徴とする請求項１２に記載のプログラム。
【請求項１４】
前記情報処理装置が接続している前記外部装置を介した前記通信装置と通信において、前記通信装置に印刷を実行させるための印刷ジョブが送信されることを特徴とする請求項１乃至請求項１３のいずれか１項に記載のプログラム。
【請求項１５】
前記通信装置は、印刷装置であることを特徴とする請求項１乃至請求項１４のいずれか１項に記載のプログラム。
【請求項１６】
前記通信装置は、音楽再生デバイスであることを特徴とする請求項１乃至請求項１４のいずれか１項に記載のプログラム。
【請求項１７】
第１の通信方式及び前記第１の通信方式より高速で通信可能な第２の通信方式によって通信可能な通信装置と通信可能な情報処理装置のコンピュータに、
ユーザ操作に基づいて、所定の指示を受け付ける受け付けステップと、
前記通信装置の外部且つ前記情報処理装置の外部の装置である外部装置と前記通信装置が前記第２の通信方式によって接続していない状態で前記所定の指示が受け付けられた場合、前記外部装置に関する情報を前記第１の通信方式で前記通信装置に送信する送信処理を実行し、前記情報処理装置が前記第２の通信方式によって接続している前記外部装置と前記通信装置が前記第２の通信方式によって接続している状態で前記所定の指示が受け付けられた場合、前記送信処理を実行しない処理ステップと、
前記情報処理装置が前記第２の通信方式によって接続している前記外部装置に前記通信装置が前記第２の通信方式によって接続している場合、前記情報処理装置が接続している前記外部装置を介して前記通信装置と通信する通信ステップと、を実行させ、
前記送信処理が実行された場合、前記外部装置に関する情報に基づいて、前記外部装置と前記通信装置が前記第２の通信方式によって接続することを特徴とするプログラム。
【請求項１８】
前記通信装置が接続可能な前記外部装置の一覧を取得する取得ステップをさらに有し、
前記通信装置が接続可能な前記外部装置の一覧に含まれる前記外部装置に関する情報が、前記送信処理において送信されることを特徴とする請求項１７に記載のプログラム。
【請求項１９】
前記情報処理装置が接続している前記外部装置に関する情報が、前記送信処理において送信されることを特徴とする請求項１７に記載のプログラム。
【請求項２０】
前記第１の通信方式は、Ｂｌｕｅｔｏｏｔｈ（登録商標）  Ｌｏｗ  Ｅｎｅｒｇｙ  であり、
前記第２の通信方式は、Ｗｉ−Ｆｉであることを特徴とする請求項１７乃至１９のいずれか１項に記載のプログラム。
【請求項２１】
前記情報処理装置と前記通信装置が、前記外部装置を介さず直接接続している状態で前記所定の指示が受け付けられた場合、前記所定の制御が前記所定の指示が受け付けられたことに基づいて実行されないことを特徴とする請求項１７乃至請求項２０のいずれか１項に記載のプログラム。
【請求項２２】
前記通信装置から、前記通信装置に関する情報を前記所定の指示が受け付けられたことに基づいて取得する状態取得ステップと、
前記通信装置に関する情報に基づいて、前記通信装置が前記外部装置と接続しているか否かを判定する判定ステップと、をさらに実行させ、
前記通信装置が前記外部装置と接続していないと判定された場合、前記所定の制御が実行され、前記通信装置が前記外部装置と接続していると判定された場合、前記所定の制御が実行されないことを特徴とする請求項１７乃至請求項２１のいずれか１項に記載のプログラム。
【請求項２３】
前記通信装置に関する情報は、前記第１通信方式によって取得されることを特徴とする請求項２２に記載のプログラム。
【請求項２４】
前記外部装置に関する情報は、ＳＳＩＤ、前記外部装置と接続するためのパスワードのうち少なくとも１つを含むことを特徴とする請求項１７乃至請求項２３のいずれか１項に記載のプログラム。
【請求項２５】
前記外部装置と接続するためのパスワードの入力を受け付けるパスワード受け付けステップをさらに実行させ、
前記外部装置に関する情報は、前記入力されたパスワードを含むことを特徴とする請求項１７乃至請求項２４のいずれか１項に記載のプログラム。
【請求項２６】
前記第１の通信方式は、Ｂｌｕｅｔｏｏｔｈ（登録商標）であることを特徴とする請求項１７乃至請求項２５のいずれか１項に記載のプログラム。
【請求項２７】
前記外部装置は、外部アクセスポイントであることを特徴とする請求項１７乃至請求項２６のいずれか１項に記載のプログラム。
【請求項２８】
前記情報処理装置が接続している前記外部装置を介した前記通信装置と通信において、前記通信装置に印刷を実行させるための印刷ジョブが送信されることを特徴とする請求項１７乃至請求項２７のいずれか１項に記載のプログラム。
【請求項２９】
前記通信装置は、印刷装置であることを特徴とする請求項１７乃至請求項２８のいずれか１項に記載のプログラム。
【請求項３０】
前記通信装置は、音楽再生デバイスであることを特徴とする請求項１７乃至請求項２９のいずれか１項に記載のプログラム。
【請求項３１】
第１の通信方式及び前記第１の通信方式より高速で通信可能な第２の通信方式によって通信可能な通信装置と通信可能な情報処理装置の制御方法であって、
ユーザ操作に基づいて、所定の指示を受け付ける受け付けステップと、
前記通信装置の外部且つ前記情報処理装置の外部の装置である外部装置と前記通信装置が前記第２の通信方式によって接続していない状態で前記所定の指示が受け付けられた場合、前記外部装置に関する情報を前記第１の通信方式で前記通信装置に送信する送信処理を実行するための所定の制御を、前記所定の指示が受け付けられたことに基づいて実行し、前記情報処理装置が前記第２の通信方式によって接続している前記外部装置と前記通信装置が前記第２の通信方式によって接続している状態で前記所定の指示が受け付けられた場合、前記所定の制御を前記所定の指示が受け付けられたことに基づいて実行しない処理ステップと、
前記情報処理装置が前記第２の通信方式によって接続している前記外部装置に前記通信装置が前記第２の通信方式によって接続している場合、前記情報処理装置が接続している前記外部装置を介して前記通信装置と通信する通信ステップと、を有し、
前記送信処理が実行された場合、前記外部装置に関する情報に基づいて、前記外部装置と前記通信装置が前記第２の通信方式によって接続することを特徴とする制御方法。
【請求項３２】
第１の通信方式及び前記第１の通信方式より高速で通信可能な第２の通信方式によって通信可能な通信装置と通信可能な情報処理装置の制御方法であって、
ユーザ操作に基づいて、所定の指示を受け付ける受け付けステップと、
前記通信装置の外部且つ前記情報処理装置の外部の装置である外部装置と前記通信装置が前記第２の通信方式によって接続していない状態で前記所定の指示が受け付けられた場合、前記外部装置に関する情報を前記第１の通信方式で前記通信装置に送信する送信処理を実行し、前記情報処理装置が前記第２の通信方式によって接続している前記外部装置と前記通信装置が前記第２の通信方式によって接続している状態で前記所定の指示が受け付けられた場合、前記送信処理を実行しない処理ステップと、
前記情報処理装置が前記第２の通信方式によって接続している前記外部装置に前記通信装置が前記第２の通信方式によって接続している場合、前記情報処理装置が接続している前記外部装置を介して前記通信装置と通信する通信ステップと、を有し、
前記送信処理が実行された場合、前記外部装置に関する情報に基づいて、前記外部装置と前記通信装置が前記第２の通信方式によって接続することを特徴とする制御方法。
【請求項３３】
第１の通信方式及び前記第１の通信方式より高速で通信可能な第２の通信方式によって通信可能な通信装置と通信可能な情報処理装置であって、
ユーザ操作に基づいて、所定の指示を受け付ける受け付け手段と、
前記通信装置の外部且つ前記情報処理装置の外部の装置である外部装置と前記通信装置が前記第２の通信方式によって接続していない状態で前記所定の指示が受け付けられた場合、前記外部装置に関する情報を前記第１の通信方式で前記通信装置に送信する送信処理を実行するための所定の制御を、前記所定の指示が受け付けられたことに基づいて実行し、前記情報処理装置が前記第２の通信方式によって接続している前記外部装置と前記通信装置が前記第２の通信方式によって接続している状態で前記所定の指示が受け付けられた場合、前記所定の制御を前記所定の指示が受け付けられたことに基づいて実行しない処理手段と、
前記情報処理装置が前記第２の通信方式によって接続している前記外部装置に前記通信装置が前記第２の通信方式によって接続している場合、前記情報処理装置が接続している前記外部装置を介して前記通信装置と通信する通信手段と、を有し、
前記送信処理が実行された場合、前記外部装置に関する情報に基づいて、前記外部装置と前記通信装置が前記第２の通信方式によって接続することを特徴とする情報処理装置。
【請求項３４】
第１の通信方式及び前記第１の通信方式より高速で通信可能な第２の通信方式によって通信可能な通信装置と通信可能な情報処理装置であって、
ユーザ操作に基づいて、所定の指示を受け付ける受け付け手段と、
前記通信装置の外部且つ前記情報処理装置の外部の装置である外部装置と前記通信装置が前記第２の通信方式によって接続していない状態で前記所定の指示が受け付けられた場合、前記外部装置に関する情報を前記第１の通信方式で前記通信装置に送信する送信処理を実行し、前記情報処理装置が前記第２の通信方式によって接続している前記外部装置と前記通信装置が前記第２の通信方式によって接続している状態で前記所定の指示が受け付けられた場合、前記送信処理を実行しない処理手段と、
前記情報処理装置が前記第２の通信方式によって接続している前記外部装置に前記通信装置が前記第２の通信方式によって接続している場合、前記情報処理装置が接続している前記外部装置を介して前記通信装置と通信する通信手段と、を有し、
前記送信処理が実行された場合、前記外部装置に関する情報に基づいて、前記外部装置と前記通信装置が前記第２の通信方式によって接続することを特徴とする情報処理装置。
【手続補正２】
【補正対象書類名】明細書
【補正対象項目名】０００７
【補正方法】変更
【補正の内容】
【０００７】
そこで、上記目的を達成するために本発明のプログラムは、
第１の通信方式及び前記第１の通信方式より高速で通信可能な第２の通信方式によって通信可能な通信装置と通信可能な情報処理装置のコンピュータに、
ユーザ操作に基づいて、所定の指示を受け付ける受け付けステップと、
前記通信装置の外部且つ前記情報処理装置の外部の装置である外部装置と前記通信装置が前記第２の通信方式によって接続していない状態で前記所定の指示が受け付けられた場合、前記外部装置に関する情報を前記第１の通信方式で前記通信装置に送信する送信処理を実行するための所定の制御を、前記所定の指示が受け付けられたことに基づいて実行し、前記情報処理装置が前記第２の通信方式によって接続している前記外部装置と前記通信装置が前記第２の通信方式によって接続している状態で前記所定の指示が受け付けられた場合、前記所定の制御を前記所定の指示が受け付けられたことに基づいて実行しない処理ステップと、
前記情報処理装置が前記第２の通信方式によって接続している前記外部装置に前記通信装置が前記第２の通信方式によって接続している場合、前記情報処理装置が前記第２の通信方式によって接続している前記外部装置を介して前記通信装置と通信する通信ステップと、を実行させ、
前記送信処理が実行された場合、前記外部装置に関する情報に基づいて、前記外部装置と前記通信装置が前記第２の通信方式によって接続することを特徴とする。
【手続補正３】
【補正対象書類名】明細書
【補正対象項目名】０００８
【補正方法】変更
【補正の内容】
【０００８】
また、本発明のプログラムは、
第１の通信方式及び前記第１の通信方式より高速で通信可能な第２の通信方式によって通信可能な通信装置と通信可能な情報処理装置のコンピュータに、
ユーザ操作に基づいて、所定の指示を受け付ける受け付けステップと、
前記通信装置の外部且つ前記情報処理装置の外部の装置である外部装置と前記通信装置が前記第２の通信方式によって接続していない状態で前記所定の指示が受け付けられた場合、前記外部装置に関する情報を前記第１の通信方式で前記通信装置に送信する送信処理を実行し、前記情報処理装置が前記第２の通信方式によって接続している前記外部装置と前記通信装置が前記第２の通信方式によって接続している状態で前記所定の指示が受け付けられた場合、前記送信処理を実行しない処理ステップと、
前記情報処理装置が前記第２の通信方式によって接続している前記外部装置に前記通信装置が前記第２の通信方式によって接続している場合、前記情報処理装置が接続している前記外部装置を介して前記通信装置と通信する通信ステップと、を実行させ、
前記送信処理が実行された場合、前記外部装置に関する情報に基づいて、前記外部装置と前記通信装置が前記第２の通信方式によって接続することを特徴とする。